(57)【要約】【課題】家具の転倒を防止し、室内の美観を損なうことがない転倒防止装置付き家具を提供することである。【解決手段】家具１の天板２上面に、その天板２とほぼ同じ大きさの角形のガイド枠３を固定し、そのガイド枠３内に角形の突張り部材５を昇降自在に設ける、ガイド枠３に取付けられたスライド枠７にナット部材１０を固定し、そのナット部材１０のねじ孔１１にねじ係合したねじ軸１２をガイド枠３内において回転自在に支持する。家具１の内側からねじ軸１２を回転操作して突張り部材５を上昇させ、その突張り部材５を天井面Ａに押し付けて家具１の転倒を防止する。【選択図】図４
2005230072.tif 000002
【特許請求の範囲】
【請求項１】
室内に置かれた家具の突張り対象面に対する対向面に、その対向面とほぼ同じ大きさの角形のガイド枠を固定し、そのガイド枠内に嵌め込まれて前記突張り対象面に向けて移動可能な角形の突張り部材に、その突張り部材の移動方向に向くねじ孔を設け、このねじ孔にねじ係合されて家具の内側から回転操作可能なねじ軸をガイド枠内において回転自在に支持し、前記ねじ軸の回転により突張り部材を移動させて突張り対象面に押し付けるようにした転倒防止装置付き家具。
【発明の詳細な説明】
【技術分野】
【０００１】
この発明は、転倒防止装置を有する家具に関するものである。
【背景技術】
【０００２】
一般に、箪笥等の家具は、天井面や壁面との間に間隔をおいて置かれるため、地震の発生により転倒する危険がある。
【０００３】
そのような不都合を解消するため、家具と天井面間に突張り金具を組込み、その突張り金具によって家具の安定化を図ることが従来から行なわれている。
【発明の開示】
【発明が解決しようとする課題】
【０００４】
ところで、突張り金具を用いる家具の安定化においては、上記突張り金具が外部に露出する取付けであるため、室内の美観を損ない、しかも、天井面や家具に対する突張り金具の押圧面積が小さいため、突張り時の圧力が高く、大きな揺れが生じた場合に天井面を破損させるおそれがある。
【０００５】
この発明の課題は、家具の転倒を確実に防止することができると共に、室内の美観を損なうことのない転倒防止装置付きの家具を提供することである。
【課題を解決するための手段】
【０００６】
上記の課題を解決するために、この発明においては、室内に置かれた家具の突張り対象面に対する対向面に、その対向面とほぼ同じ大きさの角形のガイド枠を固定し、そのガイド枠内に嵌め込まれて前記突張り対象面に向けて移動可能な角形の突張り部材に、その突張り部材の移動方向に向くねじ孔を設け、このねじ孔にねじ係合されて家具の内側から回転操作可能なねじ軸をガイド枠内において回転自在に支持し、前記ねじ軸の回転により突張り部材を移動させて突張り対象面に押し付けるようにした構成を採用したのである。
【０００７】
ここで、突張り対象面は、室内の天井面であってもよく、あるいは壁面であってもよい。天井面を突張り対象面とする場合は、家具の天板上面に、その天板とほぼ大きさのガイド枠を固定し、一方、壁面を突張り対象面とする場合は、家具の側板に、その側板とほぼ同じ大きさのガイド枠を固定する。
【発明の効果】
【０００８】
この発明においては、家具の内側からねじ軸を回転させることにより、突張り部材が突張り対象面に向けて移動し、その突張り部材を突張り対象面に押し付けることによって家具の安定化を図ることができ、地震の発生によって家具が転倒するのを防止することができる。
【０００９】
また、突張り部材の移動を案内するガイド枠を家具の突張り対象面に対する対向面とほぼ同じ大きさとしたことによって、ガイド枠は家具の一部をなし、そのガイド枠と、その内側において移動可能な突張り部材とで家具と突張り対象面間の空間を全体にわたって閉塞することができるため、室内の美観を損なうことがない。
【００１０】
さらに、突張り部材が突張り対象面を押圧する押圧面積が広いため、突張り時の圧力が小さく、突張り対象面の破損を防止することができる。
【発明を実施するための最良の形態】
【００１１】
以下、この発明の実施の形態を図面に基づいて説明する。図１乃至図４はこの発明に係る転倒防止装置付き家具の第１の実施形態を示す。図１および図２に示すように、家具１の天板２の上面には角形のガイド枠３が固定されている。
【００１２】
ガイド枠３は家具１の天板２上面に衝合される底板４を有している。ガイド枠３の内側には角形の突張り部材５が組込まれている。
【００１３】
突張り部材５はガイド枠３内にほぼぴったりと嵌り合う大きさとされ、上記ガイド枠３の内周に沿って昇降自在とされている。
【００１４】
突張り部材５の対向する辺材の上部間にはステー６が渡され、そのステー６の下面にスライド枠７が取付けられている。スライド枠７は、図３に示すように、板体７ａの両側から上向きに一対の側板７ｂを設け、各側板７ｂの上端から外向きに取付板７ｃを設けた構成とされ、上記取付板７ｃがステー６にねじ止め等の手段で固定されている。
【００１５】
図２に示すように、ガイド枠３の上面には上記スライド枠７と対向する位置に支持プレート８が取付けられ、その支持プレート８に上記スライド枠７の昇降動を案内する案内枠９が取付けられている。図３に示すように、案内枠９は、板体９ａの両端から下向きに一対の端板９ｂを設け、各端板９ｂの下端から外向きに取付板９ｃを設けた構成とされ、上記各取付板９ｃが支持プレート８にねじ止め等の手段で固定されている。
【００１６】
上記案内枠９の一対の端板９ｂの対向面間の寸法はスライド枠７の板体７ａの両端縁間の長さにほぼ等しく、その一対の端板９ｂの内面によってスライド枠７の板体７ａを案内するようになっている。
【００１７】
図２および図３に示すように、スライド枠７の板体７ａにはナット部材１０が溶接による手段を介して固着され、そのナット部材１０のねじ孔１１にねじ係合されたねじ軸１２の下端部が前記支持プレート８によって回転自在に支持されている。
【００１８】
ねじ軸１２の下端部は、家具１の天板２およびガイド枠３の底板４に形成されたハンドル挿入孔１３内に挿入され、そのハンドル挿入孔１３内にハンドルＨを挿入すると、ハンドルＨとねじ軸１２が接続されて回転方向に係合し、上記ハンドルＨの操作によってねじ軸１２を家具１の内側から回動操作し得るようになっている。なお、１４はねじ軸１２の下端に設けられたトルク係合部を示す。
【００１９】
第１の実施形態で示す転倒防止装置付き家具は上記の構造から成り、家具１を室内に置き、家具１の内側からハンドル挿入孔１３内にハンドルＨを挿入すると、そのハンドルＨとねじ軸１２が接続されて回転方向に係合し、上記ハンドルＨによってねじ軸１２を回転させると、突張り部材５が昇降する。
【００２０】
図４は、ねじ軸１２の回動によって突張り部材５を上昇させ、その突張り部材５を突張り対象面としての天井面Ａに押し付けた状態を示し、上記天井面Ａを突張り部材５によって押圧することにより、地震の揺れによって家具１が転倒するのを防止することができる。
【００２１】
上記のような家具１の転倒防止状態において、家具１の天板２上面に固定したガイド枠３は天板２とほぼ同じ大きさであり、そのガイド枠３内において昇降する突張り部材５はガイド枠３の内周に沿って昇降可能な大きさであるため、ガイド枠３および突張り部材５は家具１と天井面Ａ間の空間を全体にわたって閉塞することになり、室内の美観を損なうことはない。
【００２２】
また、突張り部材５を天井面Ａに押し付けた突張り状態において、突張り部材５が天井面Ａを押圧する押圧面積が広く、上記天井面Ａを押圧する圧力は逆に小さくなるため、天井面Ａの破損防止に効果を挙げることができる。
【００２３】
図５および図６は、この発明に係る転倒防止装置付き家具の第２の実施形態を示す。この実施形態では、家具１の側板２１の外面に、その側板２１とほぼ同じ大きさの角形のガイド枠２２を設け、そのガイド枠２２内において移動可能な角形の突張り部材２３の対向する板体２３ａの中央部間にステー２４を渡し、そのステー２４の内面に取付けた支持板２５に図３に示すスライド枠７を取付けると共に、ガイド枠２２内に対角位置に一対のブレース２６を渡し、その一対のブレース２６の交差部をピン２７により支持板２５に固定してガイド枠２２を補強している。
【００２４】
また、家具１の側板２１の外面に図３に示す支持プレート８を固定し、その支持プレート８に図３に示す案内枠９を取付け、上記支持プレート８によって回転自在に支持されたねじ軸１２をスライド枠７の板体７ａに固着されたナット部材１０のねじ孔１１にねじ係合し、上記ねじ軸１２のハンドルが係合される端部を側板２１に形成されたハンドル挿入孔２８内に配置して、家具１の内側からねじ軸１２を回動操作し得るようにしている。
【００２５】
上記の構成から成る転倒防止装置付き家具においては、ねじ軸１２の回転により突張り部材２３を外方向に移動させ、図６に示す突張り対象面としての壁面Ｂに突張り部材２３を押し付けて家具１の安定化を図る。
【００２６】
上記第２の実施形態における転倒防止装置付き家具においても、壁面Ｂに対する突張り部材２３の押圧によって家具１の倒れを防止することができると共に、突張り部材２３の移動を案内するガイド枠２２が家具１の側板２１とほぼ同じ大きさであり、そのガイド枠２２と突張り部材２３とで家具１の側面と壁面Ｂ間の空間を全体にわたって閉塞することができるため、室内の美観を損ねることがない。
【００２７】
また、壁面Ｂに対する突張り部材２３の押圧面積が広いため、突張り時の圧力が小さく、壁面Ｂの損傷防止に効果を挙げることができる。
【図面の簡単な説明】
【００２８】
【図１】この発明に係る転倒防止装置付き家具の第１の実施形態を示す斜視図
【図２】図１に示す家具の上部を拡大して示す縦断正面図
【図３】図２に示すスライド枠、案内枠および支持プレートを示す分解斜視図
【図４】家具の転倒防止状態を示す縦断側面図
【図５】この発明に係る転倒防止装置付き家具の第２の実施形態を示す斜視図
【図６】図５に示す家具の転倒防止状態を示す横断平面図
【符号の説明】
【００２９】
Ａ    天井面（突張り対象面）
Ｂ    壁面（突張り対象面）
１    家具
２    天板
３    ガイド枠
５    突張り部材
１１  ねじ孔
１２  ねじ軸
２１  側板
２２  ガイド枠
２３  突張り部材
【図１】
2005230072.tif 000003
【図２】
2005230072.tif 000004
【図３】
2005230072.tif 000005
【図４】
2005230072.tif 000006
【図５】
2005230072.tif 000007
【図６】
2005230072.tif 000008